(57)【要約】【課題】記録装置または媒体処理装置において、光で装置の状態を表示する表示手段を、視認性とレイアウトの自由度との双方を考慮して配置する。【解決手段】プリンター１において、表示手段３０は、筐体２に、光源３１と、光源３１から発せられた光で筐体２の外側に向けて発光する第１発光面３５と、光源３１から発せられた光を第１発光面３５まで導く第１導光部３４と、を有する第１発光部３２を備え、開閉カバー４に、第１発光面３５から発せられた光で筐体２の外側に向けて発光する第２発光面３９と、第１発光面３５から発せられた光を第２発光面３９まで導く第２導光部３８と、を有する第２発光部３６と、を備える。【選択図】図６
2019181778.tif 000002
【特許請求の範囲】
【請求項１】
媒体に記録を行う記録部と、
前記記録部を内部に備える筐体と、
前記筐体に対して変位可能であり、第１状態と、当該第１状態より前記筐体から離間する第２状態と、を切り替え可能な変位部材と、
装置の状態を光で表示する表示手段と、を備え、
前記表示手段は、
前記筐体に、光源と、
前記光源から発せられた光で前記筐体の外側に向けて発光する第１発光面と、前記光源から発せられた光を前記第１発光面まで導く第１導光部と、を有する第１発光部と、を備え、
前記変位部材に、前記第１発光面から発せられた光で前記筐体の外側に向けて発光する第２発光面と、前記変位部材が前記第１状態の場合に、前記第１発光面から発せられた光を前記第２発光面まで導く第２導光部と、を有する第２発光部を備える、
ことを特徴とする記録装置。
【請求項２】
請求項１に記載の記録装置において、
前記変位部材は、前記筐体に接触して装置内部にアクセス不可能にする、前記第１状態としての閉状態と、前記筐体から離間して前記装置内部にアクセス可能にする、前記第２状態としての開状態と、を回動することにより切り替え可能な開閉カバーである、
ことを特徴とする記録装置。
【請求項３】
請求項１または請求項２に記載の記録装置において、
前記第１発光面は、前記変位部材を前記第１状態にした場合に視認不可能に配置されている、
ことを特徴とする記録装置。
【請求項４】
請求項２に記載の記録装置において、
前記開閉カバーは、前記筐体の下方に回動軸を有して前記筐体の前方側の側面を開閉するカバーであり、
前記第１発光部は、前記開閉カバーの前記開状態において、前記第１発光面が前記筐体の前方側の側面に露呈し、
前記第２発光部は、前記開閉カバーの前記閉状態において、前記第２発光面が前記筐体の前方側の側面から上面側に亘って露呈するように配置される、
ことを特徴とする記録装置。
【請求項５】
請求項１から請求項４のいずれか一項に記載の記録装置において、
前記第１発光面と、前記第２導光部が前記第１発光面からの光を受ける受光面と、の間に空間が設けられる、
ことを特徴とする記録装置。
【請求項６】
請求項５に記載の記録装置において、
前記受光面は、前記第１発光面に対して傾斜して配置されている、
ことを特徴とする記録装置。
【請求項７】
請求項１から請求項４のいずれか一項に記載の記録装置において、
前記第１発光面と、前記第２導光部が前記第１発光面からの光を受ける受光面と、が接触している、
ことを特徴とする記録装置。
【請求項８】
請求項１から請求項７のいずれか一項に記載の記録装置において、
前記第１発光部は、光拡散材を含有しない光透過性材料で形成され、
前記第２発光部は、前記光拡散材を含有する光透過性材料で形成されている、
ことを特徴とする記録装置。
【請求項９】
媒体に所定の処理を行う処理部と、
前記処理部を内部に有する筐体と、
前記筐体に対して変位可能であり、第１状態と、当該第１状態より前記筐体から離間する第２状態と、を切り替え可能な変位部材と、
装置の状態を光で表示する表示手段と、を備え、
前記表示手段は、
前記筐体に、光源と、
前記光源から発せられた光で前記筐体の外側に向けて発光する第１発光面と、前記光源から発せられた光を前記第１発光面まで導く第１導光部と、を有する第１発光部と、を備え、
前記変位部材に、前記第１発光面から発せられた光で前記筐体の外側に向けて発光する第２発光面と、前記変位部材が前記第１状態の場合に、前記第１発光面から発せられた光を前記第２発光面まで導く第２導光部と、を有する第２発光部を備える、
ことを特徴とする媒体処理装置。
【発明の詳細な説明】
【技術分野】
【０００１】
本発明は、媒体に記録を行う記録装置、及び媒体に所定の処理を行う媒体処理装置に関するものである。
【背景技術】
【０００２】
媒体に所定の処理を行う媒体処理装置、例えば、インクジェットプリンターに代表される記録装置や、スキャナーに代表される画像読取装置には、スタンバイ状態やエラー状態等の装置の状態をランプの点灯や点滅、または、ランプの色等で表示する表示手段を備えるものがある。
【０００３】
特許文献１には、装置内部に発光源を設け、発光源から発せられた光を導光部材によって外装カバーに設けられる窓まで光を導いて、装置外部から光を視認できるように構成された表示手段（特許文献１においてインジゲーター１７）が開示されている。
【先行技術文献】
【特許文献】
【０００４】
【特許文献１】特開平０６−１０６８１７号公報
【発明の概要】
【発明が解決しようとする課題】
【０００５】
このような表示手段は、装置の外部から視認し易い位置に設ける必要があるため、レイアウトに制約がある場合がある。  
例えば、記録装置において、装置外装の一部を開閉する開閉カバーのように、装置外装に対して接触する状態と、装置外装から離間する状態を切り替え可能な接離部材が設けられる場合に、接離部材が装置外装に接触する状態（開閉カバーの場合は閉状態）と、接離部材が装置外装から離間する状態（開閉カバーの場合は開状態）と、のいずれの状態をとる場合でも、表示手段を視認できるようなレイアウトが求められることがある。
【０００６】
そこで、本発明の目的は、光で装置の状態を表示する表示手段を、視認性とレイアウトの自由度との双方を考慮して配置することにある。
【課題を解決するための手段】
【０００７】
上記課題を解決する為の、本発明の第１の態様に係る記録装置は、媒体に記録を行う記録部と、前記記録部を内部に備える筐体と、前記筐体に対して変位可能であり、第１状態と、当該第１状態より前記筐体から離間する第２状態と、を切り替え可能な変位部材と、装置の状態を光で表示する表示手段と、を備え、前記表示手段は、前記筐体に、光源と、前記光源から発せられた光で前記筐体の外側に向けて発光する第１発光面と、前記光源から発せられた光を前記第１発光面まで導く第１導光部と、を有する第１発光部と、を備え、前記変位部材に、前記第１発光面から発せられた光で前記筐体の外側に向けて発光する第２発光面と、前記変位部材が前記第１状態の場合に、前記第１発光面から発せられた光を前記第２発光面まで導く第２導光部と、を有する第２発光部を備えることを特徴とする。
【０００８】
本態様によれば、前記表示手段は、前記筐体に、光源と、前記光源から発せられた光で前記筐体の外側に向けて発光する第１発光面と、前記光源から発せられた光を前記第１発光面まで導く第１導光部と、を有する第１発光部と、を備え、前記変位部材に、前記第１発光面から発せられた光で前記筐体の外側に向けて発光する第２発光面と、前記変位部材が前記第１状態の場合に、前記第１発光面から発せられた光を前記第２発光面まで導く第２導光部と、を有する第２発光部を備えるので、前記変位部材の前記第１状態と、前記第２状態と、のいずれの状態でも、前記表示手段を視認できる構成とすることができる。また、一つの光源で前記第１発光部と前記第２発光部との双方を発光させることができ、前記表示手段のレイアウトの自由度を高めることができる。
【０００９】
本発明の第２の態様は、第１の態様において、前記変位部材は、前記筐体に接触して装置内部にアクセス不可能にする、前記第１状態としての閉状態と、前記筐体から離間して前記装置内部にアクセス可能にする、前記第２状態としての開状態と、を回動することにより切り替え可能な開閉カバーである、ことを特徴とする。
【００１０】
本態様によれば、前記変位部材として、前記筐体に接触して装置内部にアクセス不可能にする閉状態と、前記筐体から離間して前記装置内部にアクセス可能にする開状態と、を切り替え可能な開閉カバーを備える記録装置において、第１の態様と同様の作用効果が得られる。
【００１１】
本発明の第３の態様は、第１の態様または第２の態様において、前記第１発光面は、前記変位部材を前記第１状態にした場合に視認不可能に配置されている、ことを特徴とする。
【００１２】
本態様によれば、前記第１発光面は、前記変位部材を前記第１状態にした場合に視認不可能に配置されているので、前記変位部材の前記第１状態のときに前記第１発光面の発光が外部に漏れて光が減衰するのを抑制して、前記第２発光面に光を良好に導くことができる。
【００１３】
本発明の第４の態様は、第２の態様において、前記開閉カバーは、前記筐体の下方に回動軸を有して前記筐体の前方側の側面を開閉するカバーであり、前記第１発光部は、前記開閉カバーの前記開状態において、前記第１発光面が前記筐体の前方側の側面に露呈し、前記第２発光部は、前記開閉カバーの前記閉状態において、前記第２発光面が前記筐体の前方側の側面から上面側に亘って露呈するように配置される、ことを特徴とする。
【００１４】
本態様によれば、前記開閉カバーは、前記筐体の下方に回動軸を有して前記筐体の前方側の側面を開閉するカバーであり、前記第１発光部は、前記開閉カバーの前記開状態において、前記第１発光面が前記筐体の前方側の側面に露呈するので、前記第１発光部は、前記開閉カバーを開いた場合に装置前方側から視認可能な構成とすることができる。  
また、前記第２発光部は、前記開閉カバーの前記閉状態において、前記第２発光面が前記筐体の前方側の側面から上面側に亘って露呈するように配置されるので、前記開閉カバーを閉じた場合に、前記第２発光面の発光を、筐体の上面側と装置前方側との双方から視認し易い構成とすることができる。また、このとき、前記第１発光部は前記開閉カバーによって覆われて視認不可能な状態となるので、前記第１発光面の発光が外部に漏れて光が減衰するのを抑制して、前記第２発光面に光を良好に導くことができる。
【００１５】
本発明の第５の態様は、第１の態様から第４の態様のいずれかにおいて、前記第１発光面と、前記第２導光部が前記第１発光面からの光を受ける受光面と、の間に空間が設けられる、ことを特徴とする。
【００１６】
本態様によれば、前記第１発光面と、前記第２導光部が前記第１発光面からの光を受ける受光面と、の間に空間が設けられるので、前記表示手段のレイアウトの自由度を一層高めることができる。
【００１７】
本発明の第６の態様は、第５の態様において、前記受光面は、前記第１発光面に対して傾斜して配置されている、ことを特徴とする。
【００１８】
本態様によれば、前記受光面は、前記第１発光面に対して傾斜して配置されている構成の前記表示手段において、第３の態様と同様の作用効果が得られる。
【００１９】
本発明の第７の態様は、第１の態様から第４の態様のいずれかにおいて、前記第１発光面と、前記第２導光部が前記第１発光面からの光を受ける受光面と、が接触している、ことを特徴とする。
【００２０】
本態様によれば、前記第１発光面と、前記第２導光部が前記第１発光面からの光を受ける受光面と、が接触しているので、発光する前記第１発光部から光を効果的に前記第２発光部に導くことができる。また、前記第１発光部と前記第２発光部とを省スペースで配置することができる。
【００２１】
本発明の第８の態様は、第１の態様から第７の態様のいずれかにおいて、前記第１発光部は、光拡散材を含有しない光透過性材料で形成され、前記第２発光部は、前記光拡散材を含有する光透過性材料で形成されている、ことを特徴とする。
【００２２】
本態様によれば、前記第１発光部は、光拡散材を含有しない光透過性材料で形成されているので、前記光源から発せられる光が前記第１発光部を通る際に光が拡散して減衰することが抑えられる。以って、前記光源の光を前記第２発光部に好適に導くことができる。  
また、前記第２発光部は、前記光拡散材を含有する光透過性材料で形成されているので、前記第２導光部を通る光が拡散し、前記第２発光面を良好に発光させることができる。
【００２３】
本発明の第９の態様に係る媒体処理装置は、媒体に所定の処理を行う処理部と、前記処理部を内部に有する筐体と、前記筐体に対して変位可能であり、第１状態と、当該第１状態より前記筐体から離間する第２状態と、を切り替え可能な変位部材と、装置の状態を光で表示する表示手段と、を備え、前記表示手段は、前記筐体に、光源と、前記光源から発せられた光で前記筐体の外側に向けて発光する第１発光面と、前記光源から発せられた光を前記第１発光面まで導く第１導光部と、を有する第１発光部と、を備え、前記変位部材に、前記第１発光面から発せられた光で前記筐体の外側に向けて発光する第２発光面と、前記変位部材が前記第１状態の場合に、前記第１発光面から発せられた光を前記第２発光面まで導く第２導光部と、を有する第２発光部を備える、ことを特徴とする。  
本態様によれば、媒体に所定の処理を行う媒体処理装置において、第１の態様と同様の作用効果が得られる。
【図面の簡単な説明】
【００２４】
【図１】本発明に係るプリンターの外観斜視図。
【図２】プリンターの媒体搬送経路を表す側断面図。
【図３】プリンターの前面側の側面の開閉カバーを開いた状態を示す斜視図。
【図４】開閉カバーを閉状態にしたプリンターの要部拡大斜視図。
【図５】開閉カバーを開状態にしたプリンターの要部拡大斜視図。
【図６】表示手段の一例を表す側断面図
【図７】第２発光部の開閉カバーへの取り付け構成について説明する斜視図。
【図８】表示手段の変更例を表す側断面図。
【図９】表示手段の他の変更例を表す側断面図。
【図１０】プリンターの前方側の側面の第１カバーを開き、第１の揺動状態にある揺動部材を示す側断面図。
【図１１】プリンターの前方側の側面の第１カバーを開き、第２の揺動状態にある揺動部材を示す側断面図。
【発明を実施するための形態】
【００２５】
［第１実施形態］
まず、本発明の一実施形態に係る記録装置の概略について、図を参照して説明する。記録装置は、媒体に液体としてのインクを吐出して記録を行うインクジェットプリンター１（以下、単にプリンター１という場合がある）を例に挙げる。尚、プリンター１は、媒体に所定の処理を行う媒体処理装置の一例でもある。
【００２６】
各図において示すＸ−Ｙ−Ｚ座標系はＸ軸方向が媒体の幅方向であり、装置幅方向である。また、Ｙ軸方向が記録装置内の媒体搬送経路における媒体搬送方向であり、装置奥行き方向である。また、Ｚ軸方向が装置高さ方向である。尚、媒体が搬送されていく方向を下流といい、その反対を上流と言う。
【００２７】
■■■プリンターの概要■■■
図１及び図２を参照して、プリンター１の全体構成について説明する。プリンター１は、装置外装としての筐体２によって外観が構成されている。筐体２は、図２に示す記録部１３を内部に備えている。  
筐体２の上部には、プリンター１を操作する操作部３が設けられている。操作部３は複数の操作ボタンを備えている。
【００２８】
筐体２の上部には第１排紙トレイ７が設けられている。本実施形態において、第１排紙トレイ７は、筐体２内から排出されてきた記録後の媒体を傾斜姿勢で受けるように構成されている。  
また、筐体２の上部において、符号２１は、図２に示す背面側給送部２１を開閉する給送部カバー２２である。
【００２９】
筐体２の＋Ｙ方向側の側面、つまり筐体２の前面には、開閉カバー４が設けられている。開閉カバー４は、筐体２に接触して装置内部にアクセス不可能にする閉状態（図１）と、筐体２から離間して装置内部にアクセス可能にする開状態（図３）と、を回動することにより切り替え可能に構成されている。尚、開閉カバー４の開状態とは、図３のように完全に開いた状態に限られず、図１の閉状態よりも開閉カバー４が筐体２から離間した状態を言うものとする。  
本実施形態において、開閉カバー４の閉状態を第１状態とし、開状態を第２状態とすると、開閉カバー４は、筐体２に対して変位可能であり、第１状態（図１）と、第１状態より筐体２から離間する第２状態（図３）と、を切り替え可能な変位部材の一例である。  
尚、本明細書において「変位」とは、筐体２に着脱可能なカバー（変位部材）のように、変位部材全体が移動して位置が変わる場合の他、本実施形態のように、筐体２に対して回動するように取り付けられた開閉カバー４のように、変位部材の一部は筐体２に対して移動しないが、筐体２に対する向きや姿勢が変わるような場合も含む意味で用いるものとする。
【００３０】
また、図１に示す閉状態の開閉カバー４の上部には、プリンター１の状態を光で表示する表示手段３０が設けられている。  
以下において、開閉カバー４及び表示手段３０の構成について説明する。プリンター１における媒体搬送経路については、開閉カバー４及び表示手段３０についての説明の後に説明する。
【００３１】
■■■開閉カバーについて■■■
開閉カバー４は、筐体２の下方に回動軸４ａを有して筐体２の前方側（＋Ｙ側）の側面を開閉するカバーである。  
開閉カバー４は、第１カバー５及び第２カバー６を備えて構成され、図３に示すように、第１カバー５と第２カバー６とを一体に開くことができるように構成されている。  
尚、第１カバー５は、図１０及び図１１に示すように、単体で開くこともできる。
【００３２】
図３のように開閉カバー４を開くと、後述する媒体搬送経路の一部である湾曲経路２０が露呈する。このとこにより、媒体搬送経路で生じた紙詰まりの処理等のメンテナンスを行うことができる。
【００３３】
■■■表示手段について■■■
図４に示す表示手段３０は、前述した様に、プリンター１の状態を光で表示するように構成されている。表示手段３０は複数設けることができる。本実施形態においては、装置幅方向に間隔を空けて四つの表示手段３０が設けられている。  
表示手段３０で表示するプリンター１の状態としては、例えば、スタンバイ状態、スリープ状態、他の機器との接続状態、各種エラー状態等が挙げられる。表示手段３０の光を常時点灯させたり、点滅させたり、光の色を変えたりすることにより、一つの表示手段３０で複数の状態を表すようにすることができる。
【００３４】
本実施形態の表示手段３０は、図６に示すように、筐体２の内部に設けられる光源３１と、筐体２側に設けられる第１発光部３２と、開閉カバー４（変位部材）側に設けられる第２発光部３６と、を備えている。
【００３５】
より具体的には、表示手段３０は、筐体２に、光源３１と、光源３１から発せられた光で筐体２の外側に向けて発光する第１発光面３５と、光源３１から発せられた光を第１発光面３５まで導く第１導光部３４と、を備え、開閉カバー４（変位部材）に、第１発光面３５から発せられた光で筐体２の外側に向けて発光する第２発光面３９と、開閉カバー４（変位部材）が閉状態（第１状態）の場合に、第１発光面３５から発せられた光を第２発光面３９まで導く第２導光部３８と、を有している。第２導光部３８は、第１発光面３５からの光を受ける受光面としての第２受光面３７を備える第２発光部３６を備える。
【００３６】
表示手段３０がこのように構成されていると、開閉カバー４が閉状態（第１状態）の場合には、光源３１から発せられた光が第１受光面３３から第１導光部３４に入り、第１受光面３３に導かれて第１受光面３３（第１発光部３２）が発光し、更に、第１発光面３５から発せられた光が第２受光面３７から第２導光部３８に入り、第２発光面３９に導かれて第２発光面３９（第２発光部３６）が発光する。したがって、開閉カバー４が閉状態の場合には、表示手段３０は、第２発光部３６の第２発光面３９の発光によってプリンター１の状態を表示する。
【００３７】
一方、開閉カバー４を開いて開状態（第２状態）にすると、第２発光部３６の第２受光面３７が、閉状態の場合よりも第１発光部３２の第１受光面３３から離れる。第２受光面３７が第１受光面３３から離れると、第１受光面３３からの発光は外部に拡散し、第１受光面３３の発光が第２導光部３８に入り難くなる。第２受光面３７が第１受光面３３から所定距離以上離れると、第２発光面３９を光らせることができる強さの光が第２導光部３８に入らなくなる。したがって、開閉カバー４を開くと第２発光面３９の発光は抑制され、開閉カバー４が所定以上開くと第２発光面３９は発光しなくなる。  
しかし、第２発光部３６の第２発光面３９が発光しなくても、筐体２側に設けられている第１発光部３２の第１発光面３５は発光しているので、表示手段３０は、第１発光部３２の第１発光面３５の発光によってプリンター１の状態を表示することができる。
【００３８】
本実施形態においては、図１及び図４のように開閉カバー４を閉状態にして第２発光部３６を視認する場合でも、図３及び図５のように開閉カバー４を開状態にして第１発光部３２を視認する場合でも、筐体２に対する表示手段３０としての視認位置はほとんど変わらない。  
すなわち、開閉カバー４の閉状態と開状態とのいずれの状態でも、表示手段３０の光を所定の位置で視認できる構成とすることができる。  
また、一つの光源３１で第１発光部３２と第２発光部３６との双方を発光させることができるので、表示手段３０を省スペースで配置し、表示手段３０のレイアウトの自由度を高めることができる。
【００３９】
また、第１発光面３５は、開閉カバー４（変位部材）を閉状態（第１状態）にした場合に視認不可能に配置されている。  
本実施形態において第１発光部３２は、図５に示すように、開閉カバー４の開状態において第１発光面３５が筐体２の前方側（＋Ｙ側）の側面に露呈しており、図４に示すように、開閉カバー４を閉状態にした場合には開閉カバー４によって覆われて隠れ、開閉カバー４を開状態にした場合に現れるようになっている。  
第１発光面３５が、このように配置されていることにより、開閉カバー４を閉状態にした場合に第１発光面３５の発光が外部に漏れて光が減衰するのを抑制し、第２発光面３９に光を良好に導くことができる構成とすることができる。
【００４０】
また、開閉カバー４を開いて媒体搬送経路内の紙詰まりを取り除く等のメンテナンス作業をする場合、媒体搬送経路が解放された装置前方側の側面を正面視するようにプリンター１を見ることが多い。したがって、開閉カバー４の開状態において第１発光面３５が筐体２の前方側（＋Ｙ側）の側面に露呈していることにより、開閉カバー４を開状態にして行う作業時に、第１発光部３２を装置前方側から視認し易い構成とすることができる。
【００４１】
また、第２発光部３６は、図４に示すように、開閉カバー４の閉状態において、前記第２発光面３９が筐体２の前方側（＋Ｙ側）の側面から上面側（＋Ｚ側）に亘って露呈するように配置されている。  
このことにより、開閉カバー４を閉じた場合に、第２発光面３９の発光を、筐体２の上面側と装置前方側との双方から視認し易い構成とすることができる。
【００４２】
また、本実施形態において、第１発光面３５と、第２受光面３７との間には、図６に示すように空間４０が設けられている。第１発光面３５と第２受光面３７との間に空間４０が設けられていることにより、表示手段３０のレイアウトの自由度を一層高めることができる。
【００４３】
また、第２受光面３７は、第１発光面３５に対して傾斜して配置されている。第２受光面３７が、第１発光面３５に対して傾斜して配置されていることにより、第２受光面３７の面積を広くとることができる。  
本実施形態の第２受光面３７は、図６に示すように、第２受光面３７の上部から下部に向けて、第１発光面３５から遠ざかる方向に傾斜している。第２受光面３７の方向はこれに限られず、第２受光面３７の上部から下部に向けて、第１発光面３５に近づく方向に傾斜させることもできる。
【００４４】
表示手段３０の光源３１には、一例としてＬＥＤライトを用いることができる。また、第１発光部３２及び第２発光部３６は、光を透過する光透過性材料により形成されている。一例として、光透過性を有する樹脂材料を用いることができる。  
光透過性樹脂材料としては、一例として、アクリル系、スチレン系、ポリエチレン系、ポリカーボネート等の樹脂材料を用いることができる。また、ガラスを用いることもできる。  
本実施形態において、第１発光部３２は、光拡散材を含有しない光透過性材料で形成され、第２発光部３６は、光拡散材を含有する光透過性材料で形成されている。  
第１発光部３２が、光拡散材を含有しない光透過性材料で形成されていることにより、光源３１から発せられる光が第１発光部３２の第１導光部３４を通る際に光が拡散して減衰することが抑えられ、光源３１の光が第２発光部３６に好適に導かれる構成とすることができる。  
また、第２発光部３６が、光拡散材を含有する光透過性材料で形成されていることにより、第２導光部３８を通る光が拡散し、第２発光面３９を良好に発光させることができる。  
尚、第１発光部３２を光拡散材を含有する光透過性材料で形成することも可能である。その場合、第１発光部３２を形成する光透過性材料に含まれる光拡散材の含有率が、第２発光部３６を形成する光透過性材料に含まれる光拡散材の含有率よりも、相対的に低いことが望ましい。
【００４５】
光拡散材は、被界透過性材料に添加されて光拡散機能を有する物質であればよく、例えば、酸化アルミニウム、酸化ケイ素、酸化チタン、炭酸カルシウム等の無機系粒子を用いることができる。また、シリコーン樹脂、アクリル樹脂等の有機系粒子を用いることが
できる。光拡散材は、ガラス粉末でも良い。また、光拡散材は一種類を単独で用いる場合の他、二種類以上を組み合わせて用いても良い。
【００４６】
尚、本実施形態においては、媒体処理装置の一例としてのプリンター１（記録装置）について説明したが、例えば、媒体に所定の処理を行う処理部としての読取部によって、媒体の画像を読み取る読取処理を行う媒体処理装置であるスキャナー（画像読取装置）に、本発明の表示手段を採用することも可能である。
【００４７】
＜＜＜第２発光部の開閉カバーへの取り付けについて＞＞＞
次に、第２発光部３６の開閉カバー４への取り付け構成について説明する。  
第２発光部３６は、図７に示すように、第２カバー６（開閉カバー４）に設けられる凸部４３（図６も参照）に嵌合する取付穴４２（図６）を有する取付板４１に一体成型されている。  
本実施形態においては、隣り合う二つの第２発光部３６が一つの取付板４１に一体成型されているが、すべての第２発光部３６を一つの取付板４１に一体成型してもよい。また、第２発光部３６ごとに個別の取付板４１で取り付ける構成とすることも可能である。
【００４８】
■■■表示手段の変更例■■■
＜＜＜変更例１＞＞＞
図６に示す表示手段３０に替えて、図８に示すような表示手段３０Ａとすることもできる。  
図８に示す表示手段３０Ａの第２発光部３６Ａにおいて、第２導光部３８Ａが第１発光面３５からの光を受ける第２受光面３７Ａは、第１発光面３５と接触するように形成されている。つまり、第１発光面３５と第２受光面３７Ａとが面と面で接触するように構成されている。  
表示手段３０Ａの第１発光部３２は、図６に示す表示手段３０と同様に構成されており、表示手段３０Ａの第２受光面３７Ａは、第１発光面３５に合わせ、鉛直方向（Ｚ軸方向）に沿う面として形成されている。  
尚、図８では、第１発光面３５と第２受光面３７Ａを分かり易く示すため、第１発光面３５と第２受光面３７Ａとは少し間隔を空けて記載されている。
【００４９】
このことにより、発光する第１発光面３５から光を効果的に第２導光部３８に導いて、第２発光面３９Ａを良好に発光させることができる。また、図６に示すような空間４０を設けないので、第１発光部３２と第２発光部３６とを省スペースで配置することができる。  
尚、表示手段３０Ａにおいて、光源３１及び第１発光部３２は、表示手段３０と同様に構成されている。
【００５０】
＜＜＜変更例２＞＞＞
更に、表示手段は図９に示すような表示手段３０Ｂとすることもできる。  
図９に示す表示手段３０Ｂにおいても、第１発光部３２Ｂの第１発光面３５Ｂと、第２発光部３６Ｂの第２受光面３７Ｂとが接触するように形成されている。  
第２受光面３７Ｂは、上部よりも下部が＋Ｙ側に位置する方向に傾斜している。第１発光面３５Ｂは、第２受光面３７Ｂと同様に、第１発光面３５Ｂの上部よりも下部が＋Ｙ側に位置する方向に傾斜している。  
第１発光面３５Ｂと第２受光面３７Ｂとが接触していることにより、発光する第１発光面３５Ｂから光を効果的に第２導光部３８Ｂに導いて、第２発光面３９Ｂを良好に発光させることができる。  
尚、図９においても、第１発光面３５Ｂと第２受光面３７Ｂを分かり易く示すため、第１発光面３５Ｂと第２受光面３７Ｂとは少し間隔を空けて記載されている。
【００５１】
また、第１発光部３２Ｂにおいて、第１導光部３４Ｂには反射面Ｒが設けられている。反射面Ｒは、第１受光面３３Ｂから入った光源３１からの光Ｌ１を反射して、反射光Ｌ２を第１発光面３５Ｂに導くように構成されている。  
第１導光部３４Ｂに反射面Ｒが設けられていることにより、光源３１が発する光を良好に第１発光面３５Ｂに導くことができる。
【００５２】
■■■プリンターの媒体搬送経路について■■■
＜＜＜媒体収容部から第１排紙トレイまでの媒体搬送経路について＞＞＞
主として図２を参照して、筐体２の下部に設けられる媒体収容部８から第１排紙トレイ７までの媒体搬送経路Ｓ１（図２において太い破線で示す）について説明する。  
図２において筐体２の−Ｚ方向側端部には、媒体収容部８が設けられている。媒体収容部８は、複数枚の媒体を収容可能に構成されている。媒体としては、一例として普通紙、薄紙、厚紙、コート紙、写真用紙等の用紙が挙げられる。
【００５３】
媒体収容部８の＋Ｚ方向側にはピックアップローラー９が設けられている。ピックアップローラー９は回動軸９ａを支点に回動可能に構成されている。ピックアップローラー９は、媒体収容部８に収容された媒体と接することにより、媒体収容部８に収容された媒体の最上位の媒体を媒体搬送方向下流側に搬送する。  
ピックアップローラー９の下流側には、反転ローラー１０が設けられている。反転ローラー１０の周囲には、反転ローラー１０に対して従動回転する複数の従動ローラー（不図示）が配置されている。
【００５４】
ピックアップローラー９により送られた媒体は、反転ローラー１０によって反転されて媒体搬送方向下流側に設けられた送りローラー対１２に送られる。送りローラー対１２の媒体搬送方向下流側には、媒体に記録を行う記録部１３が設けられている。  
プリンター１において、記録部１３は媒体に処理を行う「処理部」であり、媒体にインクを噴射して記録処理を行う。記録部１３は、キャリッジ１４に設けられている。キャリッジ１４は、Ｘ軸方向に移動可能に構成されており、その下部にはインクを−Ｚ方向に吐出する記録ヘッド１５が設けられている。  
記録部１３に供給されるインク（液体）は、筐体２内において＋Ｘ軸方向側に設けられるインクタンク２９（図１）から不図示の供給チューブを介して送られるように構成されている。
【００５５】
記録ヘッド１５の下方において、記録ヘッド１５と対向する領域には媒体支持部１６が設けられている。媒体支持部１６は、送りローラー対１２により記録ヘッド１５と対向する領域に搬送されてきた媒体の下面（記録面と反対側の面）を支持する。  
記録ヘッド１５は、媒体支持部１６により支持される媒体に対してインクを吐出し、媒体の記録面に記録を実行する。
【００５６】
記録ヘッド１５の媒体搬送方向下流側には、記録後の媒体を送る排出ローラー対としての第１ローラー対１７と第２ローラー対１８が設けられている。  
第２ローラー対１８の媒体搬送方向下流側には、媒体を反転する湾曲経路２０が設けられている。記録後の媒体は、第１ローラー対１７及び第２ローラー対１８によって送られて、湾曲経路２０で反転される。  
湾曲経路２０の出口には第３ローラー対１９が設けられており、湾曲経路２０で反転された媒体は排出部２８から排出されて、第１排紙トレイ７に載置される。  
送りローラー対１２、第１ローラー対１７、第２ローラー対１８、及び第３ローラー対１９は、それぞれ不図示の駆動源によって駆動される駆動ローラー（符号なし）と従動ローラー（符号なし）によって構成されている。  
以上が、媒体収容部８から第１排紙トレイ７までの媒体搬送経路Ｓ１である。続いて、背面側給送部２１からの媒体の搬送について説明する。
【００５７】
＜＜＜背面側給送部から第１排紙トレイまでの媒体搬送経路について＞＞＞
図２を参照して、背面側給送部２１からの媒体搬送経路Ｓ２（図２において太い一点鎖線で示す）について説明する。  
筐体２の背面側（−Ｙ側）には背面側給送部２１が設けられている。筐体２の上部には、前述した様に、背面側給送部２１を覆う給送部カバー２２（図１も参照）が設けられている。給送部カバー２２は、筐体２に対して回動可能に構成され、閉じた状態（図２）と開いた状態（図示省略）とを切り替え可能である。給送部カバー２２を開いた状態とすることで、背面側給送部２１から筐体２内の記録部１３に向けて媒体の給送が可能となる。
【００５８】
給送部カバー２２の下流側には、給送ローラー２３が設けられている。背面側給送部２１にセットされた媒体は、給送ローラー２３によって給送される。媒体搬送経路Ｓ２は、送りローラー対１２の上流側において、先に説明した媒体収容部８からの媒体搬送経路Ｓ１（破線）と合流する。その後は、媒体搬送経路Ｓ１と同じく、媒体は記録部１３に送られて記録が行われ、湾曲経路２０を通って第１排紙トレイ７に排出される。
【００５９】
＜＜＜第２の排紙トレイへの排紙について＞＞＞
プリンター１は、記録部１３による記録後の媒体を第１排紙トレイ７に排出する他、図２において、湾曲経路２０の上流側に設けられる揺動部材２５を、第２の排紙トレイとして排出することができる。  
図２に示す揺動部材２５は回動軸２５ａを備え、媒体搬送経路Ｓ１の経路面の一部を構成して記録後の媒体を湾曲経路２０に導く第１の揺動状態（図２において実線で示す揺動部材２５の状態）と、記録後の媒体の排出先である第２の排紙トレイとなる第２の揺動状態（図２において一点鎖線で示す揺動部材２５の状態）と、の間で揺動可能に構成されている。
【００６０】
記録後の媒体の排出先を第１排紙トレイ７から第２の排紙トレイとしての揺動部材２５上に切り替える場合には、第１カバー５を開けて、揺動部材２５の姿勢を第１の揺動状態から第２の揺動状態に切り替える。  
図１０は、第１カバー５を開けて、装置外部から第１の状態の揺動部材２５を見た図である。図１０に示すように、揺動部材２５の自由端側（＋Ｙ側）には手掛け部２６が設けられており、ユーザーは、手掛け部２６に手を掛けて揺動部材２５を揺動させることができる。  
図１１に示すように、第１カバー５が開かれて、揺動部材２５が第２の揺動状態にされると、記録部１３による記録後の媒体は、第１ローラー対１７及び第２ローラー対１８によって送られて、第２の揺動状態の揺動部材２５に支持されつつ、筐体２の装置前面側（＋Ｙ側）から排出される。
【００６１】
また、図１０及び図１１に示すように、第１カバー５を開いた状態とすると媒体収容部８の一部が露呈する。第１カバー５を開いた状態では、媒体収容部８の一部を筐体２の装置前面側に引き出すことができ、媒体収容部８に対する媒体の供給を容易に行うことができる。
【００６２】
その他、本発明は上記実施形態に限定されることなく、特許請求の範囲に記載した発明の範囲内で種々の変形が可能であり、それらも本発明の範囲内に含まれるものであることは言うまでもない。
【符号の説明】
【００６３】
１…インクジェットプリンター（記録装置、媒体処理装置）、２…筐体、３…操作部、４…開閉カバー（変位部材）、４ａ…回動軸、５…第１カバー、６…第２カバー、７…第１排紙トレイ、８…媒体収容部、９…ピックアップローラー、１０…反転ローラー、１２…送りローラー対、１３…記録部、１４…キャリッジ、１５…記録ヘッド、１６…媒体支持部、１７…第１ローラー対、１８…第２ローラー対、１９…第３ローラー対、２０…湾曲経路、２１…背面側給送部、２２…給送部カバー、２３…給送ローラー、２５…揺動部材、２５ａ…回動軸、２６…手掛け部、２８…排出部、２９…インクタンク、３０、３０ａ、３０ｂ、３０ｃ、３０ｄ…表示手段、３１…光源、３２…第１発光部、３３…第１受光面、３４…第１導光部、３５…第１発光面、３６…第２発光部、３７…第２受光面、３８…第２導光部、３９…第２発光面、４０…空間、４１…取付板、４２…取付穴、４３…凸部、Ｒ…反射面
【図１】
2019181778.tif 000003
【図２】
2019181778.tif 000004
【図３】
2019181778.tif 000005
【図４】
2019181778.tif 000006
【図５】
2019181778.tif 000007
【図６】
2019181778.tif 000008
【図７】
2019181778.tif 000009
【図８】
2019181778.tif 000010
【図９】
2019181778.tif 000011
【図１０】
2019181778.tif 000012
【図１１】
2019181778.tif 000013